(57)【特許請求の範囲】
【請求項１】
リング状に巻いて束ねた電線束の外円周及び上下面を包装する熱収縮プラスチックフィルムからなる電線ケーブル束包装体において，
前記熱収縮プラスチックフィルムを三層構造で形成し，
前記三層構造の中心層に再生されたポリエチレンテレフタレート（ＰＥＴ）樹脂で形成されている再生プラスチック層を配し，
前記三層構造の中心層の上下をポリエチレン（ＰＥ）樹脂で構成されている上層と下層で積層して形成したことを特徴とする電線ケーブル束包装体。
【発明の詳細な説明】
【０００１】
【発明の属する技術分野】
本発明は、リング状に巻いて束ねた電線束を包装する電線ケーブル束包装体に関するものである。
【０００２】
【従来の技術】
家、ビルディング、工場等の配線にＩＶ電線やＶＶＦ電線等が使用されているが、これらの電線は保管、搬送、使用時の取扱い等の容易さから、一般にリング状に巻いて束ねた束巻き電線とした使用形態が多く採られている。
このリング状に巻いて束ねた束巻き電線は、保管、搬送時における電線の束崩れを防止するために、そのほとんどに包装が施されていて、その包装手段としては、電線束の外円周方向に熱収縮する包装用熱収縮フィルムを電線に包装するのが一般的である。
【０００３】
この熱収縮フィルムには、一般的にプラスチック系材料が使用されていて、低温収縮性フィルムはポリプロピレン（ＰＰ）樹脂またはポリエチレンテレフタレート（ＰＥＴ）樹脂等の硬質プラスチック樹脂とポリエチレン（ＰＥ）樹脂からなるプラスチック系材料の単層または多層によるフィルムを使用していた。
【０００４】
【発明が解決しようとする課題】
ところで、プラスチック系材料は、例えばＰＥＴボトルなどに挙げられるように、近年の環境保護、廃棄物の減量の面から、再生（リサイクル）性が重要となっている。この、プラスチック系材料を用いたＰＥＴボトルや容器包装においては、平成１２年４月より完全施行された「容器包装に係る分別収集及び再商品化の促進等に関する法律」において、事業者が再商品化を行うことを義務付けられるようになった。
【０００５】
近年では、環境配慮型のエコ電線・エコケーブルの需要も増加していることから、エコ電線・エコケーブルを包装する電線ケーブル束包装体にもリサイクル材料を使用することが求められている。
【０００６】
しかしながら、前記プラスチック系材料からなる熱収縮プラスチックフィルムなどの包装体は、熱収縮性や加工した際の外観を考慮すると、再生プラスチック樹脂などのリサイクル材料を使用することが困難であった。このため、電線ケーブル束包装体を成形するには、材料となるプラスチックフィルムを新たに成形して、電線ケーブル束包装体に加工していたので、リサイクル性に乏しいという問題があった。
【０００７】
本発明の目的は、リサイクル材料を使用した熱収縮プラスチックフィルムを提供し、環境配慮をすることができる電線ケーブル束包装体を提供することにある。
【０００８】
【課題を解決するための手段】
上記目的を達成するために、請求項１に記載の電線ケーブル束包装体は、リング状に巻いて束ねた電線束の外円周及び上下面を包装する熱収縮プラスチックフィルムからなる電線ケーブル束包装体において，前記熱収縮プラスチックフィルムを三層構造で形成し，前記三層構造の中心層に再生されたポリエチレンテレフタレート（ＰＥＴ）樹脂で形成されている再生プラスチック層を配し，前記三層構造の中心層の上下をポリエチレン（ＰＥ）樹脂で構成されている上層と下層で積層して形成したことを特徴としている。
このように請求項１に記載の発明によると、リサイクル材料を使用した電線ケーブル束包装体を提供することができ、廃棄物の減量に貢献することができ、三層構造にすることで、適度な熱収縮性を有し、持ち運び可能な強度を備えた電線ケーブル束包装体を提供することができる。
【００１１】
【発明の実施の形態】
以下、本発明に係る電線ケーブル束包装体の実施の形態について説明する。
図１には、本発明に係る電線ケーブル束包装体の構造を示す断面図が示されている。図において、電線ケーブル束包装体１は、プラスチック樹脂製の熱収縮フィルムで構成されている。再生プラスチック樹脂を含んだ電線ケーブル束包装体１の構造は、再生プラスチック樹脂の薄肉加工性を考慮して、中心層に再生プラスチック層２を有し、その両側に外層３を積層してなる三層構造となっている。
【００１２】
本実施の形態において、中心層となる再生プラスチック層２は、再生されたポリエチレンテレフタレート（ＰＥＴ）樹脂で形成されている。材料となるＰＥＴ樹脂としては、一般的に液体等の容器として使用されるＰＥＴボトルなどが用いられている。再生ＰＥＴは硬質プラスチック樹脂であるので、その材質の硬度や、再生材料であることにおける外観などの特徴を考慮すると、三層構造における中心層に使用されることが望ましい。
【００１３】
外層３は、再生プラスチック層２の上下を積層する上層４と下層５で形成されている。本実施の形態においては、上層４及び下層５はポリエチレン（ＰＥ）樹脂で構成されている。
【００１４】
再生プラスチック層２の外層３にポリエチレン樹脂を使用するのは、電線束を束巻き梱包する際に、再生プラスチック層２に使用する再生ＰＥＴだけでは、十分な熱収縮性を得ることができないことがあるためである。熱収縮性の高いポリエチレン樹脂を外層３に使用することで十分な熱収縮性を得ることができるようになる。このように構成することで、再生ＰＥＴを使用した電線ケーブル束包装体１は、再生ＰＥＴを使用していないものとほぼ同様の熱収縮性を得ることができるようになる。この三層で形成された電線ケーブル束包装体１は、多層のフィルム押出しによって形成されている。
【００１５】
また、外層３には、本実施の形態においてポリエチレン樹脂を使用しているが、これに限られるものではなく、ポリエチレン樹脂と同等の熱収縮性等の特性をもつプラスチック樹脂であれば他のものを使用することも可能である。
【００１６】
本発明の電線ケーブル束包装体１の厚さは、再生プラスチック樹脂を使用していない従来の電線ケーブル束包装体と同じ厚さにすることが可能である。また、再生プラスチック層２に使用する再生プラスチック樹脂の種類や、製品用途などによって各層の厚さを変化させることも可能である。
【００１７】
上記のように三層のプラスチック樹脂からなる電線ケーブル束包装体１を電線束の被覆に用いた一例が図２に示されている。
図２には、本発明に係る電線ケーブル束包装体の一実施の形態が示されている。図において、６は束状に巻かれた電線・ケーブルをリング状に巻いて束ねた電線束である。本実施の形態において電線束６は、ＥＭ−ＥＥＦ（ポリエチレン絶縁耐燃ポリエチレンシースケーブル）などの束状のＥＭケーブルで構成されている。
【００１８】
電線束６は、図１における電線ケーブル束包装体１に表面が被覆されて包装されている状態となっている。この電線束６を包装した電線ケーブル束包装体１には、前記リング状に巻いて束ねられている電線束６の中央に開口する穴部７に連通する開口部８があいている。電線ケーブル束包装体１は、電線束６における外周面と上下面のみが包装されていて、穴部７における内周面は、電線束６の取り出し易さを考慮して、包装がされていないものである。
【００１９】
９は、電線ケーブル束包装体１で被覆された電線束６を結束する結束バンドである。本実施の形態において、結束バンド９は再生プラスチック樹脂を材料として形成されている。材料となる再生プラスチック樹脂としては、例えば再生ＰＥＴが使用されている。本実施の形態において、再生ＰＥＴからなる結束バンド９は、電線束６を結束可能な適度な長さと、適度な太さを有するものとする。また、再生ＰＥＴからなる結束バンド９は、特に多層構造である必要はなく、単層構造でもよい。電線束６を結束可能な強度をもったものであって、熱融着が可能であればよいものとする。
【００２０】
本実施の形態において、再生プラスチック層２に使用している再生ＰＥＴ原料が透明または半透明に形成されている場合は、電線ケーブル束包装体１を透明または半透明に形成することができる。電線ケーブル束包装体１を透明または半透明に形成すると、電線ケーブル束包装体１に被覆されている状態でも、電線束６を容易に確認することができる。
【００２１】
なお、本実施の形態において、電線ケーブル束包装体１の再生プラスチック層２には再生ＰＥＴを使用したが、これに限られるものではなく、電線束６の被覆に熱融着性や硬度が適当であれば、他の再生プラスチック樹脂を使用することも可能である。
【００２２】
また、本実施の形態において、結束バンド９に使用する再生プラスチック材料としては再生ＰＥＴを使用したが、これに限られるものではなく、熱融着性を有し、適当な硬度をもった再生プラスチック樹脂であれば他のものを使用することも可能である。
【００２３】
【発明の効果】
本発明は、以上説明したように構成されているので、以下に記載されるような効果を奏する。
【００２４】
本発明によれば、リサイクル材料を使用した熱収縮プラスチックフィルムを提供することができ、廃棄物の減量に貢献する電線ケーブル束包装体を提供することができる。特に、三層構造にすることで、適度な熱収縮性を有し、持ち運び可能な強度を備えた電線ケーブル束包装体を提供することができる。
【図面の簡単な説明】
【図１】本発明に係る電線ケーブル束包装体の断面図である。
【図２】本発明に係る電線ケーブル束包装体の一実施の形態を示す斜視図である。
【符号の説明】
１……………………………電線ケーブル束包装体
２……………………………再生プラスチック層
３……………………………外層
４……………………………上層
５……………………………下層
６……………………………電線束
７……………………………穴部
８……………………………開口部
９……………………………結束バンド
【図１】
0003939106.tif 000002
【図２】
0003939106.tif 000003